(57)【要約】【課題】  駆動音が小さいレンズユニットおよび撮像装置を提供する。【解決手段】  レンズユニット１は、光軸ｘ方向に移動可能な第１レンズ群５と、光軸ｘ方向に移動可能な第２レンズ群１２と、第１レンズ群５を光軸ｘ方向に直線移動させる第１駆動機構９と、第１カム部１３ａと第２カム部１３ｂの少なくとも２つのカムを有する円筒カム１３とからなり、円筒カム１３は、第１カム部１３ａが第１レンズ群５と係合し、第２カム部１３ｂが第２レンズ群１２と係合し、第１駆動機構９による第１レンズ群５の直線移動で円筒カム１３を回転させ、円筒カム１３の回転により第２レンズ群１２を直線移動させる。【選択図】図１
2006047673.tif 000002
【特許請求の範囲】
【請求項１】
光軸方向に移動可能な第１レンズ群と、
光軸方向に移動可能な第２レンズ群と、
前記第１レンズ群を光軸方向に直線移動させる第１駆動機構と、
第１カム部と第２カム部の少なくとも２つのカムを有する円筒カムとからなり、
前記円筒カムは、前記第１カム部が前記第１レンズ群と係合し、前記第２カム部が第２レンズ群と係合し、
前記第１駆動機構による前記第１レンズ群の直線移動で前記円筒カムを回転させ、
前記円筒カムの回転により前記第２レンズ群を直線移動させることを特徴とするレンズユニット。
【請求項２】
前記円筒カムは、光軸と平行で、且つ、光軸と異なる軸を中心に回転することを特徴とする請求項１に記載のレンズユニット。
【請求項３】
前記第１レンズ群および前記第２レンズ群は、それぞれ、前記円筒カムの回転軸に平行なつり軸に摺動可能に支持され、
前記第１レンズ群は、第１カムフォロワを有し、前記第１カムフォロワを介して前記第１カム部と係合し、
前記第２レンズ群は、第２カムフォロワを有し、前記第２カムフォロワを介して前記第２カム部と係合していることを特徴とする請求項１または２に記載のレンズユニット。
【請求項４】
前記第１レンズ群と前記第２レンズ群とは、それぞれ異なるつり軸に支持されていることを特徴とする請求項３に記載のレンズユニット。
【請求項５】
前記円筒カムは、前記第１レンズ群を支持するつり軸と、前記第２レンズ群を支持するつり軸との間に位置することを特徴とする請求項４に記載のレンズユニット。
【請求項６】
前記円筒カムの前記第１カム部および前記第２カム部は、端面カムであり、
前記円筒カムおよび前記第２レンズ群の少なくとも１つが付勢されており、
前記円筒カムの付勢方向は、前記第１カム部を前記第１カムフォロワに押し付ける回転方向であり、
前記第２レンズ群の付勢方向は、前記第２カムフォロワを前記第２カム部に押し付ける方向であることを特徴とする請求項１から５のいずれかに記載のレンズユニット。
【請求項７】
前記第１駆動機構は、前記第１レンズ群に設けた第１駆動ナットを、前記第１駆動ナットに係合する第１送りねじを回転させることで直線移動させるねじ送り機構であることを特徴とする請求項１から６のいずれかに記載のレンズユニット。
【請求項８】
前記第１レンズ群の移動量は、前記第２レンズ群の移動量よりも大きいことを特徴とする請求項１から７のいずれかに記載のレンズユニット。
【請求項９】
前記第１レンズ群の重量は、前記第２レンズ群の重量よりも大きいことを特徴とする請求項１から８のいずれかに記載のレンズユニット。
【請求項１０】
前記第１駆動機構は、アクチュエータを有し、
前記円筒カムは、前記アクチュエータよりも径が小さいことを特徴とする請求項１から９のいずれかに記載のレンズユニット。
【請求項１１】
前記第１レンズ群と前記第２レンズ群との間に、少なくとも１つの固定された固定レンズ群を有することを特徴とする請求項１から１０のいずれかに記載のレンズユニット。
【請求項１２】
さらに、光軸方向前後に移動可能な第３レンズ群と、
前記第３レンズ群を光軸方向前後に直線移動させる第２駆動機構とを有し、
前記第２駆動機構は、前記第３レンズ群に設けた第２駆動ナットを、前記第２駆動ナットに係合する第２送りねじを回転させることで直線移動させるねじ送り機構であることを特徴とする請求項１から１１のいずれかに記載のレンズユニット。
【請求項１３】
前記第３レンズ群は、合焦点を移動させるレンズ群であることを特徴とする請求項１２に記載のレンズユニット。
【請求項１４】
前記第１駆動機構と前記第２駆動機構とが隣接していることを特徴とする請求項１２または１３に記載のレンズユニット。
【請求項１５】
請求項１から１４のいずれかに記載のレンズユニットを有する撮像装置。
【請求項１６】
前記第１駆動機構は、通常の撮影状態において、上側に位置することを特徴とする請求項１５に記載の撮像装置。
【発明の詳細な説明】
【技術分野】
【０００１】
本発明は、レンズユニットおよび撮像装置に関する。
【背景技術】
【０００２】
変倍や焦点移動などのために複数の移動可能なレンズ群を有するレンズユニットが提供されているが、特に、動画撮影を行う場合には、複数のレンズユニットを同時に駆動することは必要不可欠である。アクチュエータなどの駆動装置を有する駆動機構を、複数のレンズ群にそれぞれ設けると、消費電力が大きくなり、バッテリの持ちが悪くなるという問題が発生する。
【０００３】
特許文献１および２に、１つの駆動装置で複数のレンズ群を駆動する構造が記載されている。それらの構造では、複数のカム溝を有する１つの円筒カムを直接駆動する直接駆動機構で回転させることによって複数のレンズ群を駆動している。そのため、いずれかのレンズ群の移動距離が大きくなると円筒カムの径を大きくしなければ圧力角が大きすぎてスムーズにレンズ群を移動させることができない。円筒カムの径が大きくなると、回転する円筒カムとカムフォロワ部とが摺接する部分の径が大きくなるので摩擦によるトルク損失が大きくなり、振動が発生したり大きな駆動トルクが必要になる。駆動トルクが大きくなると、大きなエネルギーを必要とし、漏れ出るエネルギーすなわち駆動音も大きくなる。また、円筒カムの回転角度は小さいので、アクチュエータの回転を歯車で減速して円筒カムを回転させる必要がある。しかしながら、歯車を使用すると、歯車同士の接触により音が発生し、レンズユニットの駆動音が大きくなる。このように、可動部品の点数が増加すると、摩擦が増加し、エネルギー損失が大きくなり、駆動音が大きくなる。動画撮影を行う場合には、同時に音声を録音するので、従来のレンズユニットの駆動音は、看過できない雑音として記録されるという問題があった。
【特許文献１】特開平８−１２２６１２号公報
【特許文献２】特開平１０−１６１００１号公報
【発明の開示】
【発明が解決しようとする課題】
【０００４】
そこで、前記問題点に鑑みて、本発明は、駆動音が小さいレンズユニットおよび撮像装置を提供することを課題とする。
【課題を解決するための手段】
【０００５】
前記課題を解決するために、本発明によるレンズユニットは、光軸方向に移動可能な第１レンズ群と、光軸方向に移動可能な第２レンズ群と、前記第１レンズ群を光軸方向に直線移動させる第１駆動機構と、第１カム部と第２カム部の少なくとも２つのカムを有する円筒カムとからなり、前記円筒カムは、前記第１カム部が前記第１レンズ群と係合し、前記第２カム部が第２レンズ群と係合し、前記第１駆動機構による前記第１レンズ群の直線移動で前記円筒カムを回転させ、前記円筒カムの回転により前記第２レンズ群を直線移動させるものとする。
【０００６】
この構成によれば、前記第２レンズ群は、前記第１レンズ群によって間接的に移動させられる。このため、前記第１駆動機構は、前記第１レンズ群を直線移動させるために最適化できるので、移動量にかかわらず単純で駆動損失の少ない機構を採用することができ、高効率でエネルギー消費の少ない、部品点数が少なくて駆動音が小さいものにできる。また前記第２レンズ群を移動させるために専用の駆動装置が必要ないので、一度に大きな電力を消費することもない。
【０００７】
また、本発明のレンズユニットにおいて、前記円筒カムは、光軸と平行で、且つ、光軸と異なる軸を中心に回転してもよい。
【０００８】
この構成によれば、前記円筒カムは、レンズユニットの光軸と平行に配置されるので、前記第１および第２レンズ群の移動方向が、前記円筒カムの径方向ではなく軸方向と一致している。このため、前記第１または第２レンズ群の移動量が大きくなっても前記円筒カムは光軸方向に伸び、径方向には寸法的な影響を直接与えない。前記円筒カムの径が小さく抑えられれば、その軸受けの径および軸受け面の小さく抑えることができ、摩擦によるトルク損失も小さくて済む。また、円筒カムがレンズユニットから突出しにくく、レンズユニットを小型にすることもできる。
【０００９】
また、本発明のレンズユニットにおいて、前記第１レンズ群および前記第２レンズ群は、それぞれ、前記円筒カムの回転軸に平行なつり軸に摺動可能に支持され、前記第１レンズ群は、第１カムフォロワを有し、前記第１カムフォロワを介して前記第１カム部と係合し、前記第２レンズ群は、第２カムフォロワを有し、前記第２カムフォロワを介して前記第２カム部と係合していてもよい。
【００１０】
この構成によれば、前記第１カムフォロワが前記第１カム部を前記円筒カムの回転軸と平行な方向に押すことで前記第１レンズ群の直線移動を前記円筒カムの回転にスムーズに変換し、前記第２カム部が前記第２カムフォロワを前記円筒カムの回転軸方向に押すことで該円筒カムの回転を前記第２レンズ群の前記つり軸方向の直線移動にスムーズに変換できる。このため、第１駆動機構は、大きなトルクを必要とせず、レンズユニットは駆動音が小さいものにできる。
【００１１】
また、本発明のレンズユニットにおいて、前記第１レンズ群と前記第２レンズ群とは、それぞれ異なるつり軸に支持されていてもよく、さらに、前記円筒カムは、前記第１レンズ群を支持するつり軸と、前記第２レンズ群を支持するつり軸との間に位置してもよい。
【００１２】
この構成によれば、前記第１レンズ群と前記第２レンズ群とは、それぞれ前記円筒カムを挟むように設けた異なるつり軸に支持したので、それぞれの前記円筒カムと係合する部分が互いに干渉することがなく、前記円筒カムに近接して設けられるのでレンズユニットを小型化できる。
【００１３】
また、本発明のレンズユニットにおいて、前記円筒カムの前記第１カム部および前記第２カム部は、端面カムであり、前記円筒カムおよび前記第２レンズ群の少なくとも１つが付勢されており、前記円筒カムの付勢方向は、前記第１カム部を前記第１カムフォロワに押し付ける回転方向であり、前記第２レンズ群の付勢方向は、前記第２カムフォロワを前記第２カム部に押し付ける方向であってもよい。
【００１４】
この構成によれば、前記円筒カムおよび前記第２レンズ群のいずれかを付勢したことで、動作のガタがなくなる。また、前記第１カム部および前記第２カム部は、前記円筒カムの軸方向の片側が開放された形状であるので、前記円筒カムを、軸方向に型抜きして金型で一体成形できる。このため、前記円筒カムは、加工精度が高く、レンズユニットが高性能にできる。
【００１５】
また、本発明のレンズユニットにおいて、前記第１駆動機構は、前記第１レンズ群に設けた第１駆動ナットを、前記第１駆動ナットに係合する第１送りねじを回転させることで直線移動させるねじ送り機構であってもよい。
【００１６】
この構成によれば、前記第１送りねじの回転量に対して前記第１駆動ナット移動量を小さく設定でき効率の高い減速が可能であり、歯車のように駆動音を大きくする構成要素が必要ない。このため、前記第１駆動機構は、高効率で駆動音を小さくできる。
【００１７】
また、本発明のレンズユニットにおいて前記第１レンズ群の移動量は、前記第２レンズ群の移動量よりも大きくてもよい。また、前記第１レンズ群の重量は、前記第２レンズ群の重量よりも大きくてもよい。
【００１８】
この構成によれば、前記第１レンズ群の移動量が大きければ、前記第１カム部に対する圧力角が小さくなるので前記円筒カムの径を小さくしてもスムーズに前記円筒カムを回転させられ、前記第２レンズ群の移動量が小さければ、前記第２カム部が前記第２レンズ群に対する圧力角が小さくなるので前記円筒カムの径を小さくしても前記第２レンズ群をスムーズに直線移動させられる。このため、レンズユニットは、前記円筒カムの摩擦が小さく、エネルギー損失が小さいので駆動音が小さくできる。また、重量が大きい方のレンズ群を前記第１駆動機構で直接移動させればトルク伝達がスムーズに行えるので、レンズユニットは、駆動音が小さくできる。
【００１９】
また、本発明のレンズユニットにおいて、前記第１駆動機構は、アクチュエータを有し、前記円筒カムは、前記アクチュエータよりも径が小さくてもよい。
【００２０】
この構成によれば、第２レンズ群を駆動するために専用の駆動機構を別途設けるよりレンズユニットが小型化できる。また、前記円筒カムの摺接部分の径が小さいので摩擦によるトルク損失が小さく、駆動音が小さくできる。
【００２１】
また、本発明のレンズユニットにおいて、前記第１レンズ群と前記第２レンズ群との間に、少なくとも１つの固定された固定レンズ群を有してもよい。
【００２２】
この構成によれば、前記第１レンズ群と前記第２レンズ群とが光軸方向に離れて配置され、間に固定レンズ群が設けられていても、前記第１駆動機構および前記円筒カムは小型であるので、レンズユニットは断面積が小さく大型化しない。
【００２３】
また、本発明のレンズユニットは、さらに、光軸方向前後に移動可能な第３レンズ群と、前記第３レンズ群を前後に直線移動させる第２駆動機構とを有し、前記第２駆動機構は、前記第３レンズ群に設けた第２駆動ナットを、前記第２駆動ナットに係合する第２送りねじを回転させることで直線移動させるねじ送り機構であってもよい。さらに、前記第３レンズ群は、合焦点を移動させるレンズ群であってもよく、前記第１駆動機構と前記第２駆動機構とが隣接していてもよい。
【００２４】
この構成によれば、前記第１レンズ群および前記第２レンズ群を、小型の第１駆動機構で駆動できるので、さらに前記第２駆動機構を設けて前記第３レンズ群を位置決めできるようにしても、レンズユニットが大型化しない。そして、前記第２駆動機構をねじ送り機構とすれば、小型で駆動音の小さいものにできる。さらに、前記第３レンズ群を、焦点移動に用いれば、前記第１レンズ群および前記第２レンズ群を変倍および補償に用いることができるので、レンズユニットを高性能にできる。
【００２５】
また、本発明による撮像装置は、前記いずれかのレンズユニットを有するものとする。
【００２６】
この構成によれば、銀塩カメラやデジタルカメラ或いはビデオカメラなどの撮像装置は、駆動音が小さくできる。
【００２７】
また、本発明の撮像装置において、前記第１駆動機構は、通常の撮影状態において、上側に位置してもよい。
【００２８】
この構成によれば、通常上方に位置する太陽光がレンズユニットに入射したときに、レンズユニットの内部下側に太陽光を内面反射しやすい構成要素がないので撮像中にフレアが発生しにくい。
【発明の効果】
【００２９】
以上のように、本発明によれば、駆動音が小さいレンズユニットおよび撮像装置を提供できる。
【発明を実施するための最良の形態】
【００３０】
以下に、本発明の実施形態を、図面を参照しながら説明する。
【００３１】
図１に、本発明の実施形態であるレンズユニット１の断面図を示す。レンズユニット１は、固定筒２の内部に、レンズユニット１の光軸ｘに平行に固定した第１つり軸３に摺動可能に支持された第１玉枠４にレンズユニット１の最前部の第１レンズ群５が保持され、第１玉枠４には、固定筒２に設けた第１駆動モータ（アクチュエータ）６と第１駆動モータ６によって回転させられる光軸ｘに平行な第１送りねじ７と送りねじ７に係合する駆動ナット８とからなる第１駆動機構９が設けられている。駆動ナット８は、送りねじ７のねじに係合する溝が設けられた２枚の樹脂製の平板で送りねじ７を挟み込む構造で、軸方向の遊びがない。また、固定筒２に第１つり軸３と平行に固定した第２つり軸１０には、第２玉枠１１が摺動可能に支持されて第２レンズ群１２を保持している。第１つり軸３と第２つり軸１０との間には、端面カムである第１カム部１３ａと、第１カム部１３ａよりも径の大きい端面カムである第２カム部１３ｂとからなる円筒カム１３が第１つり軸３および第２つり軸１０と平行な回転軸周りに回転可能に設けられている。第１玉枠４に設けた第１カムフォロワ１４が第１カム部１３ａに係合し、第２玉枠１１に設けた第２カムフォロワ１５が第２カム部１３ｂに係合している。また、円筒カム１３は、一端に設けた回転ばね１６により第１カム部１３ａを第１カムフォロワ１４に押し付ける回転方向に付勢されており、第２玉枠１１は、伸縮ばね１７により第２カムフォロワ１５を第２カム部１３ｂに光軸ｘ方向に押し付けるように付勢している。さらに、固定筒２には、第１レンズ群５と第２レンズ群１２との間に、第１固定レンズ群１８が固定され、光軸ｘに平行に固定した第３つり軸１９に摺動可能に支持された第３玉枠２０に第３レンズ群２１が保持されている。第３玉枠２０は、固定筒２に設けた第２駆動モータ（アクチュエータ）２２と、第２駆動モータ２２によって回転させられる光軸に平行な第２送りねじ２３と、駆動ナット８と同様の構成からなり第２送りねじ２３に係合する第２駆動ナット２４とからなる第２駆動機構２５が設けられている。さらに、固定筒２の後端部には第２固定レンズ群２６が固定されている。
【００３２】
図２に円筒カム１３を拡大して示し、詳細を説明する。円筒カム１３の両端の端面１３ｃには細い軸が設けられており、固定筒２に設けた軸孔に挿入されている。円筒カム１３は、両端の端面１３ｃが固定筒２に当接して軸方向に規制され、端面１３ｃに設けた軸の円筒面１３ｄが軸孔に当接して軸に直角な方向に規制されている。
【００３３】
さらに、図３および図４に、レンズユニット１の内部構成を示す。各レンズ群５，１２，１８，２１，２６の軸は、レンズユニット１の光軸ｘ上に並び、光軸ｘの周囲は入射光の光路となるために空間が確保されねばならない。このため、図３および４に示すように、各つり軸３，１０，１９、各送りねじ７，２３および円筒カム１３が、光軸ｘを中心として略円周上に並べられることでレンズユニット１の外径が小さくなっている。また、円筒カム１３は、第１つり軸３と第２つり軸１０との間に設けられており、第１玉枠４の第１つり軸３に摺動可能に係合する部分に第１カムフォロワ１４が設けられ、第２玉枠１１の第２つり軸１０に摺動可能に係合する部分に第２カムフォロワ１５が設けられている。また、第１駆動機構９と第２駆動機構２５とは、光軸ｘ周りの円周方向に隣接して設けられている。また、第１玉枠４および第１レンズ群５との総重量は、第２玉枠１１および第２レンズ群１２の総重量の約５倍である。
【００３４】
これより、以上の構成からなるレンズユニット１の動作を説明する。
【００３５】
レンズユニット１は、第１駆動機構９によって、第１駆動モータ６により第１送りねじ７が回転することで、第１玉枠４を第１つり軸３に沿って光軸ｘ方向の前後に移動させて第１レンズ群５の光軸方向の位置を定める。そして、円筒カム１３は、図２中の矢印の方向に、回転ばね１６で第１カム部１３ａを第１カムフォロワ１４に押し付けるように付勢されているので、第１カムフォロワ１４を有する第１玉枠４の光軸ｘ方向の位置によっての回転角度が定められる。円筒カム１３の回転角度が定められると、第２カムフォロワ１５を第２カム部１３ｂに押し付けるように伸縮ばね１７で付勢されている第２玉枠１１の位置が定められ、第２レンズ群１２を光軸ｘ方向に位置決めする。第１レンズ群５は、光軸ｘ方向に第２レンズ群１２の約３倍の可動距離を有しており、レンズユニット１の拡大率を定める変倍レンズ群として作用する。また、第２レンズ群１２は第１レンズ群５の移動による結像位置を補償する補償レンズ群として作用する。また、第３レンズ群２１は、第２駆動機構２５の第２駆動モータ２２が第２送りねじ２３を回転させて第２駆動ナット２４および第３玉枠２０を第３つり軸１９に沿って移動させることで光軸ｘ方向の位置が定められる。そして、第３レンズ群２１は、合焦位置を定める焦点レンズ群として作用する。
【００３６】
本実施形態において、第１レンズ群５の位置決めは、第１駆動ナット８を第１送りねじ７で移動させるねじ送り機構である第１駆動機構９によって行っているので、モータ９で直接第１送りねじ７を回転させて位置決めでき、歯車などによる振動が発生せず、効率が高いので消費電力も小さい。
【００３７】
また、第１カム部１３ａ、第２カム部１３ｂ、端面１３ｃおよび円筒面１３ｄは、円筒カム１３において摩擦を発生する部分であり、摩擦を摩擦トルクに換算するときは、軸心からの半径距離を乗じることになる。従って、摩擦によるトルク損失を低減するためには、この半径距離を小さくすればよい。本実施形態においては、円筒カム１３の回転軸が、第１レンズ群５および第２レンズ群１２の移動方向である光軸ｘ方向と平行である、そして、移動量の大きい第１レンズ５とともに移動する第１カムフォロワ１４の直線運動を回転に変換するので、円筒カム１３を軸方向に長くすることで第１カム部１３ａの圧力角を小さく抑えられている。一方、第２レンズ群１２の移動量は比較的小さいので、第２カム部１３ｂの圧力角も小さい。これによって、円筒カム１３は、第１カム部１３ａ、第２カム部１３ｂ、端面１３ｃおよび円筒面１３ｄの半径距離が小さく、摩擦によるトルク損失が小さいので駆動音が小さい。尚、スムーズなトルク伝達を行うために、第１カム部１３ａおよび第２カム部１３ｂにおける圧力角は、３０°以下にすることが望ましい。
【００３８】
また、本実施形態では、特に、第１レンズ群５と第２レンズ群１２のうち、重量および移動量が大きい方の第１レンズ群５を第１送りねじ７で直接駆動して移動させ、第２レンズ群１２は、円筒カム１３を介して間接的に移動させている。これにより、第１送りねじ７で第２レンズ群の１２を直接移動させて円筒カム１３を介して第１レンズ群５を移動させる場合と比較して、円筒カム１３が伝達すべきエネルギーが小さく、円筒カム１３の摩擦により発生するトルク損失が小さくて済み、漏れ出るエネルギーである駆動音が小さい。
【００３９】
以上のように、レンズユニット１は、全体として、第１レンズ群５および第２レンズ群１２を小さいエネルギーで駆動できるので、漏れ出るエネルギーである駆動音や振動が小さい。さらに、第１駆動モータ６は、大きなトルクを発生する必要がないので小型であり、第１駆動機構９および円筒カム１３も径が小さく小型であるので、レンズユニット１全体の小型化にも寄与している。
【００４０】
また、レンズユニット１は、第１レンズ群５および第２レンズ群１２を位置決めする第１駆動モータ６は消費電力が小さいので、光軸ｘ周りに第１駆動機構９と並んで第２駆動機構２５を設けて、第３レンズ群２１の位置決めを行うことができるようにしても電力消費が過大にならない。これにより、レンズユニット１は、補償機能を有する変倍と焦点移動とを可能にしながら駆動音が小さいものとなっている。また、第１駆動機構９と第２駆動機構２５とを隣接して設けているので、両者を制御するための電気配線がまとめて行えるので製造コストが高くならない。
【００４１】
本実施形態において、円筒カム１３は、２つの端面カム（第１カム部１３ａ，第２カム部１３ｂ）からなっているが、円筒カム１３は円柱の側面に溝を設けた溝カムであってよい。しかし、本実施形態の形状は、軸方向に型抜きして金型により成形することができるので安価に製造できる上に高い加工精度が得られる。また、円筒カム１３を端面カムにしたことで、回転ばね１６によって第１カム部１３ａと第１カムフォロワ１４とが密接するように付勢し、伸縮ばね１７によって第２カム部１３ｂと第２カムフォロワ１５とが密接するように付勢する必要があるが、これにより、両カムフォロワ１４，１５と円筒カム１３との間にガタがなくなり、各レンズ群９、１２の位置決め精度が高くなる効果も得られている。
【００４２】
図５に、本発明によるレンズユニット１を有する撮像装置２７を示す。撮像装置２７は、本体２８と、本体２８の前面に取り付けたレンズユニット１とからなっている。レンズユニット１は、前述した構造のさらに外側にカム環２９が設けられ、カム環２９の回転により前後に移動可能な前進筒３０に対物レンズ３１が保持されている。また、レンズユニット１の固定筒２には、固定レンズ群１８とともにシャッタおよび絞りを有する遮光装置３２が固定されている。レンズユニット１の後方で本体２８の内部には、ＣＣＤからなる撮像素子３３が基板３４上に設けられており、本体２８の後部には、液晶による表示装置３５が設けられ、透明部材３６で保護されている。また、本体２８には、撮像を確認するファインダ３７と、音声を記録するためのマイク３８と、被写体に投光するためのフラッシュ３９とが設けられている。
【００４３】
以上の構成からなる撮像装置２７では、被写体から入射した光をレンズユニット１を通して、撮像素子３３に結像させ、電気信号に変換して記録する。撮像装置２７は、瞬間的な画像を記録する静止画撮影と、連続して画像を記録する動画撮影とのいずれかを選択して行うことができる。動画撮影時には、マイク３８で被写体の音声を取り込んで、音声付きの動画として記録する。撮像装置２７は、動画撮影中も、第１レンズ群５および第２レンズ群１２を前後に移動させて撮像の拡大率を変更したり、第３群レンズ１８を前後に移動させて合焦位置を変更しながら音声付き動画を記録することができる。さらに、動画撮影中も、遮光装置３２は、被写体から入射する光の強さに応じて、絞りを作動させて撮像装置１３に結像する光の強さを調整する。
【００４４】
この撮像装置２７において、レンズユニット１は、図４中のｙ方向が上になるようにして組み込まれている。このため、金属部品を使用する場合が多い第１駆動機構９および第２駆動機構２５が上側に位置し、下側に光を反射しやすい構成要素が位置しないので、通常は上から入射してレンズユニット１内部の下側に到達する太陽光がレンズユニット１の中で反射されにくく、撮像中にフレアが発生しにくい。
【００４５】
さらに、レンズユニット１を有する撮像装置で動画記録を行う場合、レンズユニット１の駆動音が小さいので、レンズユニットの駆動音がマイク３８を通して記録音声中に雑音として入り込むことがない。
【図面の簡単な説明】
【００４６】
【図１】本発明の実施形態のレンズユニットの断面図。
【図２】図１のレンズユニットの円筒カムの拡大図。
【図３】図１のレンズユニットの部分斜視図。
【図４】図１のレンズユニットの異なる部分斜視図。
【図５】図１のレンズユニットを有する撮像装置の断面図。
【符号の説明】
【００４７】
１  レンズユニット
３  第１つり軸
５  第１レンズ群
６  第１駆動モータ（アクチュエータ）
７  第１送りねじ
８  第１駆動ナット
９  第１駆動機構
１０  第２つり軸
１２  第１レンズ群
１３  円筒カム
１３ａ  第１カム部
１３ｂ  第２カム部
１４  第１カムフォロワ
１５  第２カムフォロワ
１６  回転ばね
１７  伸縮ばね
１８  第１固定レンズ群
１９  第３つり軸
２１  第３レンズ群
２２  第２駆動モータ（アクチュエータ）
２３  第２送りねじ
２４  第２駆動ナット
２５  第２駆動機構
２７  撮像装置
ｘ  光軸
【図１】
2006047673.tif 000003
【図２】
2006047673.tif 000004
【図３】
2006047673.tif 000005
【図４】
2006047673.tif 000006
【図５】
2006047673.tif 000007